(57)【要約】【課題】集中度を高精度で計測することができる集中度計測装置等を提供する。【解決手段】集中度計測装置は、対象者１０１が撮像された画像を取得する取得部１１と、取得した画像において、対象者１０１の体の２以上の部分のそれぞれについて位置を認識し、認識された対象者１０１の体の２以上の部分の位置からそれぞれの位置関係である対象位置関係を算出する体パーツ認識部１３と、対象位置関係と人が集中状態にある場合にとり得る癖とに基づいて、対象者１０１が集中状態であるか否かを判定する集中癖判定部１５と、集中癖判定部１５による判定結果を用いて対象者１０１の集中度を算出する集中度算出部１７と、を備える。【選択図】図１
2020201755.tif 000002
【特許請求の範囲】
【請求項１】
対象者が撮像された画像を取得する取得部と、
前記取得部が取得した前記画像において、前記対象者の体の２以上の部分のそれぞれについて位置を認識し、認識された前記対象者の体の２以上の部分の位置からそれぞれの位置関係である対象位置関係を算出する体パーツ認識部と、
前記体パーツ認識部により算出された前記対象位置関係と、人が集中状態にある場合にとり得る癖であって、人の体の２以上の部分の位置関係によって規定される癖とに基づいて、前記対象者が集中状態であるか否かを判定する集中癖判定部と、
前記集中癖判定部による判定結果を用いて前記対象者の集中度を算出する集中度算出部と、を備える
集中度計測装置。
【請求項２】
さらに、前記癖を規定する人の体の２以上の部分の位置関係に関する癖情報が予め格納される記憶部を備え、
前記集中癖判定部は、前記対象位置関係と、前記記憶部に格納された前記癖情報とに基づいて、前記対象者が集中状態であるか否かを判定する
請求項１に記載の集中度計測装置。
【請求項３】
前記記憶部に格納される前記癖情報には、複数の人の癖を統計処理して得られる標準的な癖を規定する、人の体の２以上の部分の位置関係を示す情報が含まれる
請求項２に記載の集中度計測装置。
【請求項４】
前記記憶部に格納される前記癖情報は、前記標準的な癖による動作であって、前記人が顔の一部を手で触る動作、首を手で撫でる動作、両手を合わせる動作、髪の毛を手で触る動作、および、両腕を組む動作の少なくとも一つにおける人の体の２以上の部分の位置関係を示す
請求項３に記載の集中度計測装置。
【請求項５】
さらに、前記対象者が実施するタスクの実績を取得するタスク実績取得部と、
前記タスクの実績に基づいて、前記対象者が集中状態であるか否かを判定する集中状態判定部と、を備え、
前記取得部は、前記画像として、タスクを実施している前記対象者が撮像された実施画像を取得し、
前記記憶部に格納される前記癖情報には、前記集中状態判定部によって前記対象者が集中状態であると判定されたときに取得された前記実施画像において算出された前記対象位置関係を示す情報が含まれる
請求項２に記載の集中度計測装置。
【請求項６】
前記タスク実績取得部は、前記タスクの実績として、前記対象者が実施した前記タスクの進捗速度を取得し、
前記集中状態判定部は、前記タスクの進捗速度が所定速度よりも大きい場合に、前記対象者が集中状態であると判定する
請求項５に記載の集中度計測装置。
【請求項７】
前記所定速度は、前記対象者による前記タスクの進捗速度の平均速度である
請求項６に記載の集中度計測装置。
【請求項８】
前記タスク実績取得部は、前記タスクの実績として、前記対象者が実施した前記タスクのスコアを取得し、
前記集中状態判定部は、前記タスクのスコアが所定値よりも高い場合に、前記対象者が集中状態であると判定する
請求項５に記載の集中度計測装置。
【請求項９】
前記所定値は、前記対象者によって実施された１以上の前記タスクのスコアの平均値である
請求項８に記載の集中度計測装置。
【請求項１０】
さらに、前記対象者の顔向きを検知する検知部と、
前記対象者の前記顔向きが第１時間以上変化しない場合に、前記対象者が集中状態であると判定する集中状態判定部と、を備え、
前記記憶部に格納される前記癖情報には、前記集中状態判定部によって前記対象者が集中状態であると判定されたときに前記取得部によって取得された前記画像において、前記体パーツ認識部により算出された前記対象位置関係を示す情報が含まれる
請求項２に記載の集中度計測装置。
【請求項１１】
前記第１時間は、前記対象者における前記顔向きが変化しない時間の平均時間である
請求項１０に記載の集中度計測装置。
【請求項１２】
さらに、前記対象者が実施するタスクの実績を取得するタスク実績取得部と、
前記タスクの実績に基づいて、前記対象者が集中状態であるか否かを判定する集中状態判定部と、を備え、
前記取得部は、前記タスクの実施を第２時間以上中断している前記対象者を撮像した中断画像を取得し、
前記記憶部に格納される前記癖情報には、前記タスクの実施を中断したあとに前記タスクを再開した前記対象者の前記タスクの実績に基づいて、前記タスクの中断中における前記対象者が集中状態であると判定された場合の前記中断画像において算出された前記対象位置関係を示す情報が含まれる
請求項２に記載の集中度計測装置。
【請求項１３】
前記タスク実績取得部は、前記タスクの実績として、前記対象者が実施した前記タスクの進捗速度を取得し、
前記集中状態判定部は、前記タスクの進捗速度が所定速度よりも大きい場合に、前記タスクの中断中における前記対象者が集中状態であると判定する
請求項１２に記載の集中度計測装置。
【請求項１４】
前記所定速度は、前記対象者による前記タスクの進捗速度の平均速度である
請求項１３に記載の集中度計測装置。
【請求項１５】
前記タスク実績取得部は、前記タスクの実績として、前記対象者が実施した前記タスクの成績を取得し、
前記集中状態判定部は、前記タスクの成績が所定値よりも高い場合に、前記タスクの中断中における前記対象者が集中状態であると判定する
請求項１２に記載の集中度計測装置。
【請求項１６】
前記所定値は、前記対象者によって過去に実施された１以上のタスクにおける成績の平均値である
請求項１５に記載の集中度計測装置。
【請求項１７】
対象者が撮像された画像を取得する取得ステップと、
前記取得ステップで取得された前記画像において、前記対象者の体の２以上の部分のそれぞれについて位置を認識し、認識された前記対象者の体の２以上の部分の位置からそれぞれの位置関係である対象位置関係を算出する認識ステップと、
前記認識ステップで算出された前記対象位置関係と、人が集中状態にある場合にとり得る癖であって、人の体の２以上の部分の位置関係によって規定される癖とに基づいて、前記対象者が集中状態であるか否かを判定する判定ステップと、
前記判定ステップにおける判定結果を用いて前記対象者の集中度を算出する算出ステップと、を含む
集中度計測方法。
【請求項１８】
請求項１７に記載の集中度計測方法をコンピュータに実行させるための
プログラム。
【発明の詳細な説明】
【技術分野】
【０００１】
本開示は、集中度計測装置および集中度計測方法に関する。
【背景技術】
【０００２】
従来、人の集中度を算出する情報処理装置が知られている。例えば、特許文献１に記載された情報処理装置では、集中度の最大値を１００として、表情の変化量と動作の変化量との和に顔向き率を乗じたものを減算することで集中度を算出する。
【先行技術文献】
【特許文献】
【０００３】
【特許文献１】特開２０１４−１２０１３７号公報
【発明の概要】
【発明が解決しようとする課題】
【０００４】
上記従来の情報処理装置では、１つの対象物を集中して見ている程、算出される集中度が高い値になる。しかしながら、現実では、１つの対象物を見ている対象者の集中度が必ず高いという訳でもなく、複数の対象物を見ている対象者の集中度が必ず低いという訳でもない。例えば、学習または執務作業などの知的作業を行う対象者がテレビに見入っている場合、集中している状況とは言えないにも関わらず、上記従来の情報処理装置では高い集中度が算出される。また、学習において参考書とノートとを交互に見ている場合は、学習に集中している状況と言えるにも関わらず、上記従来の情報処理装置では低い集中度が算出される。このように、上記従来の情報処理装置では、算出される集中度の精度が低いという問題がある。
【０００５】
そこで、本開示は、集中度を高精度で計測することができる集中度計測装置および集中度計測方法を提供する。
【課題を解決するための手段】
【０００６】
上記課題を解決するために、本開示の一態様に係る集中度計測装置は、対象者が撮像された画像を取得する取得部と、前記取得部が取得した前記画像において、前記対象者の体の２以上の部分のそれぞれについて位置を認識し、認識された前記対象者の体の２以上の部分の位置からそれぞれの位置関係である対象位置関係を算出する体パーツ認識部と、前記体パーツ認識部により算出された前記対象位置関係と、人が集中状態にある場合にとり得る癖であって、人の体の２以上の部分の位置関係によって規定される癖とに基づいて、前記対象者が集中状態であるか否かを判定する集中癖判定部と、前記集中癖判定部による判定結果を用いて前記対象者の集中度を算出する集中度算出部と、を備える。
【０００７】
また、本開示の一態様に係る集中度計測装置方法は、対象者が撮像された画像を取得する取得ステップと、前記取得ステップで取得された前記画像において、前記対象者の体の２以上の部分のそれぞれについて位置を認識し、認識された前記対象者の体の２以上の部分の位置からそれぞれの位置関係である対象位置関係を算出する認識ステップと、前記認識ステップで算出された前記対象位置関係と、人が集中状態にある場合にとり得る癖であって、人の体の２以上の部分の位置関係によって規定される癖とに基づいて、前記対象者が集中状態であるか否かを判定する判定ステップと、前記判定ステップにおける判定結果を用いて前記対象者の集中度を算出する算出ステップと、を含む。
【０００８】
また、本開示の一態様は、上記集中度計測方法をコンピュータに実行させるためのプログラムとして実現することができる。あるいは、当該プログラムを格納したコンピュータ読み取り可能な記録媒体として実現することもできる。
【発明の効果】
【０００９】
本開示によれば、集中度を高精度で計測することができる。
【図面の簡単な説明】
【００１０】
【図１】図１は、実施の形態１に係る集中度計測装置を説明する図である。
【図２】図２は、実施の形態１に係る集中度計測装置の構成を示すブロック図である。
【図３】図３は、実施の形態１に係る集中度計測方法を示すフローチャートである。
【図４】図４は、実施の形態１に係る集中状態の判定について説明するための図である。
【図５】図５は、実施の形態１に係る集中度の算出について説明する図である。
【図６】図６は、実施の形態１に係る記憶部への癖情報の格納を説明するフローチャートである。
【図７】図７は、実施の形態１に係る対象者のタスクの実績と対象者の癖との関係を説明する図である。
【図８】図８は、標準的な癖の例を示す図である。
【図９】図９は、実施の形態１に係る処理テーブルを例示する図である。
【図１０】図１０は、実施の形態１の変形例に係る記憶部への癖情報の格納を説明するフローチャートである。
【図１１】図１１は、実施の形態２に係る集中度計測装置の構成を示すブロック図である。
【図１２】図１２は、実施の形態２に係る記憶部への癖情報の格納を説明するフローチャートである。
【発明を実施するための形態】
【００１１】
（本開示を得るに至った知見）
特許文献１に示すように、従来、人の集中度を算出する情報処理装置が知られている。特許文献１に開示された情報処理装置は、特定の状況においてのみ集中度を算出することができる。具体的には、当該情報処理装置では、１つの対象物を集中して見ている程、算出される集中度が高い値になる。したがって、作業中の対象者に対して当該情報処理装置を用い、作業に対する対象者の集中度を算出するためには、対象者の行う作業が１つの対象物に注視しながら行う作業である必要があり、限られた用途にしか適用できない。
【００１２】
また、対象者が作業に対して集中した際にとり得る動作には個人差があり、当該情報処理装置では、このような個人差に対応することは困難である。したがって、当該情報処理装置を用いて算出された集中度は、精度が高いとはいえない。
【００１３】
本開示は、以上の状況に鑑みてなされ、幅広い用途に適用でき、かつ対象者ごとの集中時の動作に適合できる集中度計測装置を提供する。本開示によれば、様々な状況にある対象者の集中度を高精度で計測することができる集中度計測装置等が提供される。
【００１４】
以下、本開示の実施の形態について、図面を参照して説明する。なお、以下に説明する実施の形態は、いずれも本開示の包括的または具体的な例を示すものである。したがって、以下の実施の形態で示される、数値、構成要素、構成要素の配置位置および接続形態、並びに、ステップおよびステップの順序等は、一例であって本開示を限定する主旨ではない。よって、以下の実施の形態における構成要素のうち、本開示の独立請求項に記載されていない構成要素については、任意の構成要素として説明される。
【００１５】
また、各図は、模式図であり、必ずしも厳密に図示されたものではない。したがって、各図において縮尺などは必ずしも一致していない。各図において、実質的に同一の構成に対しては同一の符号を付しており、重複する説明は省略または簡略化する。
【００１６】
（実施の形態１）
［集中度計測装置］
はじめに、図１を用いて、実施の形態１に係る集中度計測装置について説明する。図１は、実施の形態１に係る集中度計測装置を説明する図である。
【００１７】
図１に示すように、本実施の形態における集中度計測装置１００は、例えば。対象者１０１が利用するコンピュータ等に内蔵されて実現される。集中度計測装置１００を対象者１０１が利用するコンピュータ等に内蔵する形態で実現することにより、コンピュータに搭載されるカメラおよびディスプレイ等を用いることができる。
【００１８】
すなわち、集中度計測装置１００への入力を、カメラを用いて取得でき、かつ、集中度計測装置１００からの出力を、ディスプレイを用いて提示できる。また、対象者１０１が行う作業が、コンピュータを用いる作業である場合、作業に用いるコンピュータを用いて、当該作業と並行して対象者１０１の集中度の算出を実施できる。
【００１９】
本開示における集中度計測装置１００は、対象者１０１が撮像された画像を用いて、当該画像上の対象者１０１の集中度を算出する装置である。したがって、集中度計測装置１００は、対象者１０１が撮像された画像を取得できれば、対象者１０１がどのような状態であっても集中度の算出を行うことができる。つまり、集中度計測装置１００は、幅広い対象者１０１に対して適用できる。
【００２０】
また、集中度計測装置１００は、対象者１０１が集中状態にある場合にとり得る癖を用いて、当該対象者１０１が集中状態であるか否かを判定する。例えば、図中に示す対象者１０１は、集中状態にある場合に、顔の一部１０１ａを手１０１ｂで触れる癖を有する。図中の一例のように、対象者１０１は、対象者１０１ごとに異なる癖を有する。本実施の形態における集中度計測装置１００は、対象者１０１の癖を用いて集中度の算出を行う。これによれば、特定の動作に着目して集中度を算出する、従来の場合においてみられるような個人差に基づく精度の低下を抑制でき、個人ごとに合わせて集中度をより高精度で計測することができる。
【００２１】
次に、図２を用いて、本実施の形態における集中度計測装置１００を詳しく説明する。図２は、実施の形態１に係る集中度計測装置の構成を示すブロック図である。
【００２２】
図２に示すように、本実施の形態における集中度計測装置１００は、取得部１１、体パーツ認識部１３、集中癖判定部１５、および集中度算出部１７を備える。取得部１１は、対象者１０１が撮像された画像を取得する通信インタフェースである。取得部１１は、一例として、入力部２０１に接続され、入力部２０１を介して対象者１０１が撮像された画像を取得する。入力部２０１は、例えばカメラであり、入力部２０１において画像が撮像される。
【００２３】
なお、入力部２０１は、取得部１１に対して画像を提供できればどのように実現されてもよい。例えば、入力部２０１は、外部記憶装置であってもよい。外部記憶装置にあらかじめ格納された画像が、取得部１１によって取得され、当該画像を用いて対象者１０１の集中度が計測されてもよい。したがって、集中度計測装置１００による集中度の計測は即時的でなくてもよい。取得部１１は、取得した画像を体パーツ認識部１３へと送信する。
【００２４】
体パーツ認識部１３は、取得部１１が取得した画像において、対象者１０１の体の２以上の部分のそれぞれについて位置を認識する。また、体パーツ認識部１３は、認識された対象者１０１の体の２以上の部分の位置からそれぞれの位置関係である対象位置関係を算出する処理装置である。体パーツ認識部１３は、例えば、プロセッサと記憶装置と、当該記憶装置に格納されたプログラムとによって実現される。
【００２５】
体パーツ認識部１３は、取得部１１から受信した画像上において対象者１０１の体と、その他とを画像認識により識別する。また、体パーツ認識部１３は、識別した対象者１０１の体を部分ごとに識別し、各部分のそれぞれについて画像上の位置を認識する。これにより、画像上において、対象者１０１の体の２以上の部分の位置関係である対象位置関係を算出する。ここで、２以上の部分の位置関係とは、２以上の部分どうしが成す距離によって示される。例えば、２以上の部分が「対象者１０１の顔の一部」および「対象者１０１の手」である場合、体パーツ認識部１３は、「顔の一部と手とが特定の距離以内」のように対象位置関係を算出する。
【００２６】
集中癖判定部１５は、対象位置関係と対象者１０１の癖とに基づいて、対象者１０１が集中状態であるか否かを判定する処理装置である。集中癖判定部１５は、例えば、プロセッサと記憶装置と、当該記憶装置に格納されたプログラムとによって実現される。
【００２７】
集中癖判定部１５は、あらかじめ対象者１０１の癖を把握しており、体パーツ認識部１３において算出された対象位置関係が、対象者１０１の癖であるか否かを判定する。対象位置関係が対象者１０１の癖と一致する場合、対象者１０１は、集中状態である場合にとり得る動作をとっていると判断できる。言い換えると、集中癖判定部１５は、対象者１０１が当該動作をとっているため、対象者１０１が集中状態にあると判定できる。
【００２８】
なお、本明細書中において、癖とは、人が集中状態にある場合にとり得る動作であり、人の体の２以上の部分の位置関係（つまり距離）から推定される動作である。したがって、癖は、人の体の２以上の部分の位置関係、または当該位置関係から推定される動作として規定可能である。
【００２９】
集中度算出部１７は、集中癖判定部１５による、対象者１０１が集中状態であるか否かの判定結果を用いて、対象者１０１の集中度を算出する処理装置である。集中度算出部１７は、例えば、プロセッサと記憶装置と、当該記憶装置に格納されたプログラムとによって実現される。集中癖判定部１５は、取得部１１において取得された、対象者１０１が撮像された画像１つについて、対象者１０１が集中状態であるか否かの判定を行う。
【００３０】
画像は、複数取得され、そのそれぞれについて対象者１０１が集中状態であるか否かの判定が行われる。より詳しくは、取得部１１において取得される画像は、画像が時系列に沿って連続的に並ぶ動画像である。したがって、集中癖判定部１５は、当該動画像に含まれる１フレームごとの画像について、対象者１０１が集中状態であるか否かの判定を行う。つまり、集中癖判定部１５では、対象者１０１が撮像された動画像に対応する、集中状態、または集中状態ではない非集中状態のいずれかを示す値が時系列に沿って連続的に並ぶ数値列が判定に基づいて出力される。
【００３１】
集中度算出部１７は、対象者１０１の集中度として、集中癖判定部１５により出力された数値列を用いて、あらかじめ設定された時間範囲に対する、対象者１０１が集中状態であった時間の比を算出する。例えば、５分間の動画像のうち、対象者１０１が集中状態であった時間の合計が４分間であった場合、４／５＝０．８が集中度として算出される。また、例えば、集中度算出部１７は、百分率を用いて０．８×１００＝８０％を集中度として算出してもよい。
【００３２】
以上の結果は、集中度算出部１７と接続された出力部２０２において出力される。出力部２０２は、例えば、コンピュータに備えられたディスプレイ等の表示装置である。出力部２０２は、算出された集中度を画面に表示することにより、対象者１０１または対象者１０１を管理する管理者等に提示する。なお、出力部２０２は、サーバ装置であってもよい。出力部２０２がサーバ装置である場合、算出された集中度は、出力部２０２の記憶装置内に格納される。対象者１０１または対象者１０１を管理する管理者等は、サーバ装置と通信することにより、格納された集中度を参照することができる。
【００３３】
また、本実施の形態における集中度計測装置１００は、記憶部２１と、集中状態判定部２５と、タスク実績取得部２３とを備えてもよい。これらは、集中癖判定部１５において体パーツ認識部１３により算出された対象位置関係と比較するための、対象者１０１の癖を予め取得し、記憶部２１に格納しておくための構成である。
【００３４】
記憶部２１は、癖を規定する人の体の２以上の部分の位置関係に関する癖情報が、予め格納される記憶装置である。つまり、記憶部２１には、人が集中状態であるときにとり得る癖による動作の情報が格納されている。したがって、集中癖判定部１５は、記憶部２１を参照することにより、記憶部２１に格納された癖情報を取得し、対象位置関係と癖情報とに基づいて対象者１０１が集中状態であるか否かを判定してもよい。
【００３５】
タスク実績取得部２３は、対象者１０１が実施するタスクの実績を取得する処理装置である。タスク実績取得部２３は、例えば、プロセッサと記憶装置と、当該記憶装置に格納されたプログラムとによって実現される。なお、タスクとは、計算問題、クイズ等、実施する際に集中状態となり得る知的活動である。また、タスクの実績とは、例えば、タスクの進捗速度、処理量、スコア、および正誤率等、対象者１０１によるタスクの実施を評価するための、定量化された数値である。したがって、タスク実績取得部２３は、対象者１０１が実施するタスク、およびその評価方法に応じて形態が異なる。タスク実績取得部２３は、例えば、タッチパネルおよびキーボード等の入力装置、カメラ、重量センサ等のセンサ、ならびに、タスク実施用の外部端末と通信するための通信インタフェース等で実現される。
【００３６】
例えば、対象者１０１によって実施されるタスクがコンピュータ上において実施される場合、タスク実績取得部２３は、タスクの実施のためにコンピュータに対する入力を行うユーザインタフェースとして実現されてもよい。この場合、タスク実績取得部２３は、対象者１０１がタスクの実施のために入力装置を用いて行った入力をタスクの実績として取得してもよい。
【００３７】
集中状態判定部２５は、対象者１０１が実施したタスクの実績に基づいて、当該対象者１０１が集中状態であるか否かを判定する処理装置である。集中状態判定部２５は、例えば、プロセッサと記憶装置と、当該記憶装置に格納されたプログラムとによって実現される。例えば、集中状態判定部２５は、タスク実績取得部２３において取得された対象者１０１が実施したタスクの進捗速度が所定速度よりも大きい場合に、対象者１０１が集中状態であると判定する。
【００３８】
［集中度計測方法］
以下では、上記に説明した集中度計測装置１００を用いた対象者１０１の集中度を計測する集中度計測方法について図３を用いて説明する。図３は、実施の形態１に係る集中度計測方法を示すフローチャートである。
【００３９】
本実施の形態における取得部１１は、接続された入力部２０１を介して、対象者１０１が撮像された画像を受信することで当該画像を取得し、取得ステップ（Ｓ１０１）を実施する。取得部１１は、また、取得した画像を体パーツ認識部１３へと送信する。
【００４０】
続いて、体パーツ認識部１３は、取得部１１から受信した画像について、画像認識により、対象者１０１の体とその他の部分とを識別し、さらに、対象者１０１の体を部分ごとに識別する。体パーツ認識部１３は、対象者１０１の体の部分のそれぞれに対して、画像上の位置を認識する。体パーツ認識部１３は、さらに、画像上における対象者１０１の体の部分のうち２以上の部分の組み合わせについて、認識された位置からそれぞれの位置関係である対象位置関係を算出する認識ステップ（Ｓ１０２）を実施する。
【００４１】
続いて、集中癖判定部１５は、取得した画像における対象位置関係と、当該対象者１０１の癖を規定する体の２以上の部分の位置関係とに基づいて、当該対象者１０１が集中状態であるか否かを判定する判定ステップを実施する。集中癖判定部１５は、例えば、記憶部２１に格納された対象者１０１の癖情報を用いて対象者１０１の癖を規定する体の２以上の部分の位置関係を取得する。集中癖判定部１５は、さらに、対象者１０１の癖に該当する位置関係が、画像から算出された対象位置関係に含まれないか否かを判定することにより（Ｓ１０３）、対象者１０１が集中状態であるか否かの判定を実施する。
【００４２】
例えば、対象者１０１の癖に該当する位置関係が、画像から算出された対象位置関係と対応する（一致するまたは同等とみなせる）場合（Ｓ１０３でＹｅｓ）、集中癖判定部１５は、対象者１０１が集中状態であると判定する（Ｓ１０４）。また、例えば、対象者１０１の癖に該当する位置関係が、画像から算出された対象位置関係と対応しない場合（Ｓ１０３でＮｏ）、集中癖判定部１５は、対象者１０１が集中状態ではないと判定する（Ｓ１０５）。
【００４３】
集中癖判定部１５における、対象者１０１の集中状態であるか否かの判定について、図４を用いてさらに詳しく説明する。図４は、実施の形態１に係る集中状態の判定について説明するための図である。図４の（ａ）は、集中状態である場合における対象者１０１が撮像された画像を示す図である。また、図４の（ｂ）は、集中状態でない場合における対象者１０１が撮像された画像を示す図である。なお、ここでの対象者１０１の集中時における癖は、顎（つまり顔の一部１０１ａ）を手１０１ｂで触る動作である。以下の説明では、顎を顔の一部と同じ符号１０１ａで参照する。
【００４４】
図４の（ａ）に示すように、体パーツ認識部１３により、画像上の対象者１０１は、体の一の部分である顎１０１ａと他の部分である手１０１ｂとの位置が画像上の座標として認識される。さらに、対象者１０１の集中時における癖である顎１０１ａを手１０１ｂで触る動作に基づき、集中癖判定部１５は、顎１０１ａと手１０１ｂとにおける最短距離が０または０と同等とみなせる距離以内であるかを判定する。図４の（ａ）では、対象者１０１は、顎１０１ａと、手１０１ｂとにおける画像上の座標の最短距離が０である。したがって、図４の（ａ）における対象者１０１は、集中時の癖を示す集中状態であると判定される。
【００４５】
一方で、図４の（ｂ）に示すように、体パーツ認識部１３により、画像上の対象者１０１は、体の一の部分である顎１０１ａのみの位置が画像上の座標として認識される。手１０１ｂが画像中に認識されなかったため、顎１０１ａと手１０１ｂとの距離が算出されず、対象者１０１の集中時における癖である顎１０１ａを手１０１ｂで触る動作は示されていない。したがって、図４の（ｂ）における対象者１０１は、集中時の癖を示す集中状態ではないと判定される。
【００４６】
図３に戻り、集中癖判定部１５は、取得部１１において取得される画像１フレームごとに対象者１０１が集中状態であるか否かの判定を実施する。ここで、本実施の形態における集中度計測装置１００は、あらかじめ設定された時間範囲において対象者１０１の集中度を算出する。つまり、あらかじめ設定された時間範囲に対応する所定の数（フレーム数）の画像について、集中癖判定部１５は、対象者１０１が集中状態か否かの判定を行う。
【００４７】
したがって、集中癖判定部１５は、判定が実施された画像の数が所定の数に達したか否かの判定を行い（Ｓ１０６）、所定の数に達していない場合（Ｓ１０６でＮｏ）、取得ステップ（Ｓ１０１）〜ステップ（Ｓ１０６）を繰り返す。これにより、集中癖判定部１５は、判定が実施された画像の数が所定の数に達するまで、画像の取得および画像中の対象者１０１が集中状態であるか否かの判定を行う。
【００４８】
判定が実施された画像の数が所定の数に達した際に（Ｓ１０６でＹｅｓ）、集中度算出部１７は、所定の数の画像において判定された、対象者１０１が集中状態であるか否かの判定結果を用いて、対象者１０１の集中度を算出する算出ステップ（Ｓ１０７）を実施する。これにより、集中度計測装置１００は、対象者１０１があらかじめ設定された時間範囲内でどの程度集中していたかを数値化することができる。集中度算出部１７は、算出した対象者１０１の集中度に関する情報を出力部２０２へと送信する。これにより、対象者１０１または対象者１０１を管理する管理者等は、集中度計測装置１００によって計測された集中度を確認することができる。
【００４９】
集中度の算出について、図５を用いて以下に説明する。図５は、実施の形態１に係る集中度の算出について説明する図である。図５に示す矩形のそれぞれは、取得された１つの画像を示し、各々に撮像された対象者１０１が含まれている。また、各矩形は、ハッチングを付した矩形および白抜き矩形に分けられ、ハッチングを付した矩形に含まれる対象者１０１が集中状態であると判定され、白抜き矩形に含まれる対象者１０１が集中状態でないと判定されたフレームであることをそれぞれ示している。
【００５０】
例えば、前述した時間範囲が５分（３００秒）であり、画像の撮像間隔が３０フレーム／秒である場合、集中度計測装置１００は、３００（秒）×３０（フレーム／秒）＝９０００フレームの画像を用いて集中度の算出を行う。時間範囲は、長いほど、瞬間的な誤検出等による集中状態の判定等の誤差が低減され、短いほど、出力される集中度の即時性が増大する。したがって、時間範囲の設定は、集中度計測装置１００を使用する使用者によって、目的に合わせて任意に設定されてもよい。
【００５１】
また、例えば、１〜９０００フレームまでの９０００フレーム分の画像が取得された以降、２〜９００１フレーム、３〜９００２フレーム、４〜９００３フレームのように、１フレームごとに９０００フレーム分の長さの画像に基づく集中度が算出されてもよい。
【００５２】
以上に説明したように、本実施の形態における集中度計測装置１００は、対象者１０１が撮像された画像を用いて、対象者１０１の集中度の計測を行う。このとき、集中度計測装置１００は、画像上に現れる対象者１０１の癖を用いて、当該対象者１０１が集中状態であるか否かの判定に基づく集中度の計測を行う。集中度計測装置１００は、対象者１０１が、示す癖の動作の画像を取得できれば、対象者１０１がいかなる作業を行っていても集中度を計測することができる。よって、集中度計測装置１００は、幅広い用途に適用できる。
【００５３】
また、対象者１０１の癖を用いて、当該対象者１０１が集中状態であるか否かの判定に基づく集中度の計測を行うことにより、本実施の形態における集中度計測装置１００は、対象者１０１ごとに合わせた集中度の計測を行うことができる。よって、本実施の形態における集中度計測装置１００は、集中時の動作における個人差を低減させ、対象者１０１の集中度を高精度で計測することができる。
【００５４】
［記憶部への癖情報の格納］
以下では、さらに、記憶部２１への癖情報の格納について、図６〜図９を用いて説明する。図６は、実施の形態１に係る記憶部への癖情報の格納を説明するフローチャートである。図６の（ａ）は、タスクの実績としてタスクの進捗速度を取得する場合のフローチャートを示している。また、図６の（ｂ）は、タスクの実績としてタスクのスコアを取得する場合のフローチャートを示している。
【００５５】
集中度計測装置１００は、対象者１０１の集中度を計測するにあたり、事前に対象者１０１の癖を規定する、対象者１０１の体の２以上の部分の位置関係である対象位置関係を記憶部２１に格納しておくことができる。対象位置関係が事前に記憶部２１に格納されていることで、集中度計測装置１００は、対象者１０１の集中度をより高精度で計測することができる。対象位置関係を事前に記憶部２１に格納するために、対象者１０１が集中状態にある画像を取得する必要がある。このため、集中度計測装置１００は、対象者１０１が集中し得る状況において、対象者１０１の画像の取得を実施する。対象者１０１が集中し得る状況は、例えば、対象者１０１がタスクを実施している状況である。
【００５６】
以下では、対象者１０１がタスクを実施している間に画像を取得することにより、集中状態にある対象者１０１が撮像された画像を取得する例について説明する。なお、対象者１０１が集中し得る状況のその他の例については、変形例を用いて後述する。
【００５７】
対象位置関係を記憶部２１に格納するため、取得部１１は、タスクを実施する対象者１０１が撮像された実施画像を取得する（Ｓ２０１）。また、タスク実績取得部２３は、対象者１０１が実施しているタスクの実績を取得する。本実施の形態においては、取得したタスクの実績に基づき、対象者１０１が集中状態にあるときの実施画像から対象者１０１の癖を対象位置関係として算出する。
【００５８】
図７は、実施の形態１に係る対象者のタスクの実績と対象者の癖との関係を説明する図である。図７では、対象者１０１が実施するタスクについて、経過時間に対するタスクの実績の変動のグラフが示されている。図７に一点鎖線で示すように、タスクの実績には、あらかじめ閾値が設定されている。なお、閾値は、取得されるタスクの実績に応じるものであってもよい。例えば、タスクの実績としてタスクの進捗速度が取得される場合、閾値は所定速度である。また、例えば、タスクの実績としてタスクのスコアが取得される場合、閾値は所定値である。
【００５９】
図中では、対象者１０１のタスクの実績が所定速度または所定値よりも大きい、タスクの実績が上に凸のピークを示す少なくとも３箇所（細破線の円形で囲む箇所）において、対象者１０１が癖である顎を手で触る動作を行ったことが示されている。また、タスクの実績が下向きの凸のピークを示す少なくとも３箇所（長破線の円形で囲む箇所）を含むその他の箇所においては、対象者１０１は、上記の癖を行わなかったことが示されている。このように、集中状態判定部２５は、取得されるタスクの実績が所定速度または所定値等の閾値よりも大きいか否かによる、対象者１０１が集中状態であるか否かの判定を行う。
【００６０】
図６に戻り、例えば、図６の（ａ）では、タスク実績取得部２３は、タスクの実績としてタスクの進捗速度を取得する（Ｓ２０２）。また、例えば、図６の（ｂ）では、タスク実績取得部２３は、タスクの実績としてタスクのスコアを取得する（Ｓ２０２ａ）。
【００６１】
続いて、集中度計測装置１００は、図７において説明したように取得したタスクの実績に基づいて、対象者１０１が集中状態であるか否かの判定を行う。例えば、図６の（ａ）では、取得したタスクの進捗速度が所定速度よりも大きいか否かの判定を行う（Ｓ２０３）。所定速度は、対象者１０１の年齢や性別を考慮して設定された、統計的な進捗速度であってもよく、あらかじめ実験的に定められた進捗速度であってもよい。また、所定速度は、対象者１０１がタスクを実施している最中に、タスクの進捗速度の平均速度から決定されてもよい。つまり、実施中のタスクのうち、実施済みの一部における進捗速度から算出される平均速度を所定速度として定め、未実施の他部において対象者１０１が集中状態であるか否かの判定に用いてもよい。言い換えると、所定速度は、対象者１０１によるタスクの進捗速度の平均速度であってもよい。
【００６２】
また、例えば、図６の（ｂ）では、取得したタスクのスコアが所定値よりも高いか否かの判定を行う（Ｓ２０３ａ）。所定値は、対象者１０１の年齢や性別を考慮して設定された、統計的なスコアであってもよく、あらかじめ実験的に定められたスコアであってもよい。例えば、所定値は、対象者１０１によってあらかじめ実施された１以上のタスクのスコアの平均値であってもよい。
【００６３】
例えば、集中状態判定部２５により、対象者１０１のタスクの進捗速度が所定速度よりも大きいと判定された場合（Ｓ２０３でＹｅｓ）、体パーツ認識部１３は、当該進捗速度が取得された時点の実施画像において対象位置関係を算出する（Ｓ２０４）。さらに、算出された対象位置関係を示す情報が含まれた癖情報が、記憶部２１に格納される（Ｓ２０５）。
【００６４】
一方で、集中状態判定部２５により、対象者１０１のタスクの進捗速度が所定速度以下と判定された場合（Ｓ２０３でＮｏ）、集中度計測装置１００は、処理を終了する。以上の処理は、タスク実績取得部２３により、タスクの実績である進捗速度が取得されるごとに繰り返し実施される。
【００６５】
また、例えば、集中状態判定部２５により、対象者１０１のタスクのスコアが所定値よりも高いと判定された場合（Ｓ２０３ａでＹｅｓ）、体パーツ認識部１３は、当該スコアが取得された時点の実施画像において対象位置関係を算出する（Ｓ２０４）。さらに、算出された対象位置関係を示す情報が含まれた癖情報が、記憶部２１に格納される（Ｓ２０５）。
【００６６】
一方で、集中状態判定部２５により、対象者１０１のタスクのスコアが所定値以下と判定された場合（Ｓ２０３ａでＮｏ）、集中度計測装置１００は、処理を終了する。
【００６７】
以上の処理により記憶部２１には、対象者１０１がタスクを実施しながら集中状態であるときに取得された実施画像において算出された対象位置関係を示す情報が含まれる癖情報が格納される。
【００６８】
なお、記憶部２１に格納される癖情報は、対象者１０１の癖を規定する対象者１０１の体の２以上の部分の位置関係に関する癖情報でなくてもよい。より具体的には、複数の人の癖を統計処理して得られる標準的な癖を規定する、人の体の２以上の部分の位置関係を示す情報が癖情報として記憶部２１に格納されてもよい。
【００６９】
図８は、標準的な癖の例を示す図である。図８の（ａ）は、顎を手で触る癖を例示している。図８の（ａ）には、集中時における人の標準的な行動パターンの例として、顔の一部である顎を手で触る動作が示されている。また、図８の（ｂ）は、口周辺を手で触る癖を例示している。図８の（ｂ）には、集中時における人の標準的な行動パターンの例として、顔の一部である口周辺を手で触る動作が示されている。また、図８の（ｃ）は、首を手で撫でる癖を例示している。図８の（ｃ）には、集中時における人の標準的な行動パターンの例として、首を手で覆うように撫でる動作が示されている。また、図８の（ｄ）は、額を手で触る癖を例示している。図８の（ｄ）には、集中時における人の標準的な行動パターンの例として、顔の一部である額を手で触る動作が示されている。
【００７０】
また、図８の（ｅ）は、両手を合わせる癖を例示している。図８の（ｅ）には、集中時における人の標準的な行動パターンの例として、顔の一部である口周辺を手で触るとともに、顔の前で両手を合わせる動作が示されている。また、図８の（ｆ）は、髪（髪の毛）を手で触る癖を例示している。図８の（ｆ）には、集中時における人の標準的な行動パターンの例として、両手を組むとともに、髪の毛を手で触る動作が示されている。また、図８の（ｇ）は、眉間を手で触る癖を例示している。図８の（ｇ）には、集中時における人の標準的な行動パターンの例として、顔の一部である眉間を手で触る動作が示されている。また、図８の（ｈ）は、両腕を組む癖を例示している。図８の（ｈ）には、集中時における人の標準的な行動パターンの例として、両腕を組む動作が示されている。
【００７１】
以上に例示したような標準的な癖を規定する、人の体の２以上の部分の位置関係を示す情報が癖情報として記憶部２１に格納されてもよい。これによれば、集中時に人が一般的にとり得る癖を用いて、対象者１０１の集中度を計測することができる。事前に対象者１０１に特化した癖を記憶部２１に格納する処理を実施する必要がなく、より簡易に対象者１０１の集中度を計測することができる。また、集中時に人が一般的にとり得る癖を用いても、当該癖が統計的に得られる癖であるため対象者１０１の癖も十分含まれ得る。
【００７２】
さらに、集中度計測装置１００は、集中時に人が一般的にとり得る癖を記憶部２１に複数格納してもよい。つまり、記憶部２１に格納された複数の癖のいずれかが対象者１０１の癖と一致していればよく、記憶部２１に格納された癖は、複数であることにより対象者１０１がとり得る癖と一致する可能性が高まる。つまり、集中度計測装置１００は、より多様な対象者１０１に対して集中度の計測を行うことができる。
【００７３】
記憶部２１に複数の癖を示す癖情報が格納されている場合における集中癖判定部１５の動作について説明する。図９は、実施の形態１に係る処理テーブルを例示する図である。図９の処理テーブルには、「クラス番号」、「行動パターン名」、「集中時の癖フラグ」が示されている。
【００７４】
図９の処理テーブルに示された「行動パターン名」は、複数の癖を示す癖情報に対応する、複数の行動パターン（つまり癖）を具体的な行動名として示している。なお、実際には、処理テーブルは、集中度計測装置１００内部の処理に用いられるデータであるため、行動パターン名の箇所には、各行動パターンを規定する体の２以上の部分の位置関係を示す情報が格納される。
【００７５】
また、図９の処理テーブルに示された「クラス番号」は、各行動パターンに対応する通し番号である。
【００７６】
また、図９の処理テーブルに示された「集中時の癖フラグ」は、対象位置関係が、処理テーブルに含まれる行動パターンと一致したか否かを示す２値のデータである。より具体的には、取得された画像において、対象位置関係が、行動パターンに規定された人の体の２以上の部分の位置関係と一致した場合に、「集中時の癖フラグ」に１が記録され、その他の場合に、「集中時の癖フラグ」に０が記録される。
【００７７】
ここで、１つの処理テーブルは、１つの画像に対応し、各画像から対象者１０１が集中状態または非集中状態のいずれであるかの２値の判定結果が得られる。したがって、１つの処理テーブルにおいて、複数の行動パターンについて「集中時の癖フラグ」に１が記録された場合でも、対応する画像は、集中状態であることの１つの値のみが判定結果として出力される。より具体的には、例えば、図８の（ｅ）に示す画像が取得され、図９に示すように処理テーブルにおいて、「クラス番号」が０および５の「口周辺を触る」および「手を合わせる」のいずれについても「集中時の癖フラグ」に１が記録された場合でも、対応する画像は、単に集中状態であるという判定結果のみが得られる。
【００７８】
以上のように、記憶部２１に格納されている癖情報に、複数の癖のそれぞれにおける人の体の２以上の部分の位置関係を示す情報が格納されている場合は、取得された画像ごとに、対象位置関係と、複数の癖のそれぞれにおける人の体の２以上の部分の位置関係とを比較する。これにより、取得された画像ごとに「集中時の癖フラグ」に０または１が記録された「クラス番号」の情報が生成される。少なくとも１つの「クラス番号」の「集中時の癖フラグ」に１が記録された処理テーブルに対応する画像は、対象者１０１が集中状態であると判定される。あらかじめ設定された時間範囲において、判定結果を集計することで、当該時間範囲における対象者１０１の集中度が算出される。
【００７９】
なお、画像ごとの処理テーブルを直接集計することにより、いずれの「行動パターン名」の癖がより多く検出されたか等、対象者１０１の癖の内容に関する出力を行ってもよい。
【００８０】
［効果等］
以上説明したように、本実施の形態における集中度計測装置１００の一態様は、対象者１０１が撮像された画像を取得する取得部１１と、取得部１１が取得した画像において、対象者１０１の体の２以上の部分のそれぞれについて位置を認識し、認識された対象者１０１の体の２以上の部分の位置からそれぞれの位置関係である対象位置関係を算出する体パーツ認識部１３と、体パーツ認識部１３により算出された対象位置関係と、人が集中状態にある場合にとり得る癖であって、人の体の２以上の部分の位置関係によって規定される癖とに基づいて、対象者１０１が集中状態であるか否かを判定する集中癖判定部１５と、集中癖判定部１５による判定結果を用いて対象者１０１の集中度を算出する集中度算出部１７と、を備える。
【００８１】
これによれば、集中度の計測を実施したい対象者１０１の画像を取得し、当該画像内に含まれる対象者１０１の体の２以上の部分それぞれの位置を認識して、各部分の位置関係を算出することができる。体の２以上の部分の位置関係により規定された、集中状態にある人の癖と、算出された対象者１０１の位置関係とを用いて、対象者１０１が集中状態であるか否かを判定できる。集中状態にある人の癖によって、対象者１０１が集中状態であるか否かの判定が行われるため、対象者１０１が集中状態にある場合にとり得る動作がどのようなものであっても対象者１０１が集中状態であるか否かの判定を行うことができる。したがって、対象者１０１が集中状態にあるときにとり得る動作に依存することなく、対象者１０１が集中状態であるか否かを高精度に判定できる。よって、集中度計測装置１００は、高精度に判定された集中状態の判定結果を用いて、集中度を高精度に計測できる。
【００８２】
また、例えば、集中度計測装置１００は、さらに、癖を規定する人の体の２以上の部分の位置関係に関する癖情報が予め格納される記憶部２１を備え、集中癖判定部１５は、対象位置関係と、記憶部２１に格納された癖情報とに基づいて、対象者が集中状態であるか否かを判定してもよい。
【００８３】
これによれば、あらかじめ記憶部２１に格納された、癖を規定する人の体の２以上の部分の位置関係に関する情報を、対象者１０１の集中状態の判定に用いることができる。よって、対象者１０１の集中状態の判定に際して新たに癖を規定する人の体の２以上の部分の位置関係に関する情報を外部から取得する必要がないため、集中度計測装置１００を単一の装置として実現することができる。
【００８４】
また、例えば、記憶部２１に格納される癖情報には、複数の人の癖を統計処理して得られる標準的な癖を規定する、人の体の２以上の部分の位置関係を示す情報が含まれてもよい。
【００８５】
これによれば、あらかじめ記憶部２１に格納される癖を、より一般化された標準的な癖とすることができる。したがって、対象者１０１の癖が特定されていない状況において、一般的な癖を用いて対象者１０１が集中状態を判定できる。よって、癖が特定されていない対象者１０１についても集中状態の判定を実施できるため、集中度計測装置１００を幅広い対象者１０１に適用することができる。
【００８６】
また、例えば、記憶部２１に格納される癖情報は、標準的な癖による動作であって、人が顔の一部を手で触る動作、首を手で撫でる動作、両手を合わせる動作、髪の毛を手で触る動作、および、両腕を組む動作の少なくとも一つにおける人の体の２以上の部分の位置関係を示していてもよい。
【００８７】
これによれば、人が顔の一部を手で触る動作、首を手で撫でる動作、両手を合わせる動作、髪の毛を手で触る動作、および、両腕を組む動作の少なくとも一つの標準的な癖による動作を用いて対象者１０１の集中状態を判定することができる。よって、癖が特定されていない対象者１０１についても、いずれかの動作をもとに集中状態の判定を実施できるため、集中度計測装置１００を幅広い対象者１０１に適用することができる。
【００８８】
また、例えば、集中度計測装置１００は、さらに、対象者１０１が実施するタスクの実績を取得するタスク実績取得部２３と、タスクの実績に基づいて、対象者１０１が集中状態であるか否かを判定する集中状態判定部２５と、を備え、取得部１１は、画像として、タスクを実施している対象者１０１が撮像された実施画像を取得し、記憶部２１に格納される癖情報には、集中状態判定部２５によって対象者１０１が集中状態であると判定されたときに取得された実施画像において算出された対象位置関係を示す情報が含まれてもよい。
【００８９】
これによれば、対象者１０１が実施したタスクの実績に基づく判定により、集中状態と判定された時点において、タスクを実施している対象者１０１が撮像された実施画像が取得される。当該実施画像上の対象者１０１は、集中状態であるため集中状態にある場合にとり得る動作をとっていると推定される。したがって、当該実施画像上の対象者１０１の体の２以上の部分の位置関係は、対象者１０１の癖を規定していると考えられる。あらかじめ対象者１０１の癖による体の２以上の部分の位置関係を記憶部２１に格納しておくことができ、これを用いて対象者１０１の集中状態を判定できる。よって、集中度計測装置１００は、対象者１０１自身の癖をもとに対象者１０１の集中度をより高精度に計測することができる。
【００９０】
また、例えば、タスク実績取得部２３は、タスクの実績として、対象者１０１が実施したタスクの進捗速度を取得し、集中状態判定部２５は、タスクの進捗速度が所定速度よりも大きい場合に、対象者１０１が集中状態であると判定してもよい。
【００９１】
これによれば、対象者１０１がタスクを実施する際に、集中状態であるか否かを、タスクの実績として取得したタスクの進捗速度をもとに判定することができる。タスクの進捗速度が所定速度よりも大きい場合に、対象者１０１が集中状態であると判定し、このとき取得された実施画像における対象者１０１の体の２以上の部分の位置関係を用いて対象者１０１の集中状態を判定できる。よって、集中度計測装置１００は、対象者１０１自身の癖をもとに対象者１０１の集中度をより高精度に計測することができる。
【００９２】
また、例えば、所定速度は、対象者１０１によるタスクの進捗速度の平均速度であってもよい。
【００９３】
これによれば、対象者１０１がタスクを実施する際に、集中状態であるか否かを、タスクの実績として取得したタスクの進捗速度をもとに判定することができる。タスクの進捗速度が平均速度よりも大きい場合に、対象者１０１が集中状態であると判定し、このとき取得された実施画像における対象者１０１の体の２以上の部分の位置関係を用いて対象者１０１の集中状態を判定できる。よって、集中度計測装置１００は、対象者１０１自身の癖をもとに対象者１０１の集中度をより高精度に計測することができる。
【００９４】
また、例えば、タスク実績取得部２３は、タスクの実績として、対象者１０１が実施したタスクのスコアを取得し、集中状態判定部２５は、タスクのスコアが所定値よりも高い場合に、対象者１０１が集中状態であると判定してもよい。
【００９５】
これによれば、対象者１０１がタスクを実施する際に、集中状態であるか否かを、タスクの実績として取得したタスクのスコアをもとに判定することができる。タスクのスコアが所定値よりも大きい場合に、対象者１０１が集中状態であると判定し、このとき取得された実施画像における対象者１０１の体の２以上の部分の位置関係を用いて対象者１０１の集中状態を判定できる。よって、集中度計測装置１００は、対象者１０１自身の癖をもとに対象者１０１の集中度をより高精度に計測することができる。
【００９６】
また、例えば、所定値は、対象者１０１によって実施された１以上のタスクのスコアの平均値であってもよい。
【００９７】
これによれば、対象者１０１がタスクを実施する際に、集中状態であるか否かを、タスクの実績として取得したタスクのスコアをもとに判定することができる。タスクのスコアが平均値よりも大きい場合に、対象者１０１が集中状態であると判定し、このとき取得された実施画像における対象者１０１の体の２以上の部分の位置関係を用いて対象者１０１の集中状態を判定できる。よって、集中度計測装置１００は、対象者１０１自身の癖をもとに対象者１０１の集中度をより高精度に計測することができる。
【００９８】
また、本実施の形態における集中度計測方法の一態様は、対象者が撮像された画像を取得する取得ステップと、取得ステップで取得された画像において、対象者の体の２以上の部分のそれぞれについて位置を認識し、認識された対象者の体の２以上の部分の位置からそれぞれの位置関係である対象位置関係を算出する認識ステップと、認識ステップで算出された対象位置関係と、人が集中状態にある場合にとり得る癖であって、人の体の２以上の部分の位置関係によって規定される癖とに基づいて、対象者が集中状態であるか否かを判定する判定ステップと、判定ステップにおける判定結果を用いて対象者の集中度を算出する算出ステップと、を含む。
【００９９】
これによれば、集中度の計測を実施したい対象者１０１の画像を取得し、当該画像内に含まれる対象者１０１の体の２以上の部分それぞれの位置を認識して、各部分の位置関係を算出することができる。体の２以上の部分の位置関係により規定された、集中状態にある人の癖と、算出された対象者１０１の位置関係とを用いて、対象者１０１が集中状態であるか否かを判定できる。集中状態にある人の癖によって、対象者１０１が集中状態であるか否かの判定が行われるため、対象者１０１が集中状態にある場合にとり得る動作がどのようなものであっても対象者１０１が集中状態であるか否かの判定を行うことができる。したがって、対象者１０１が集中状態にあるときにとり得る動作に依存することなく、対象者１０１が集中状態であるか否かを高精度に判定できる。よって、集中度計測装置１００は、高精度に判定された集中状態の判定結果を用いて、集中度を高精度に計測できる。
【０１００】
また、例えば、上記に記載の集中度計測方法をコンピュータに実行させるためのプログラムとしてもよい。
【０１０１】
これによれば、上記に記載の集中度計測方法をコンピュータに実行させることができる。
【０１０２】
［変形例］
次に、実施の形態１の変形例について、図１０を用いて説明する。図１０は、実施の形態１の変形例に係る記憶部への癖情報の格納を説明するフローチャートである。図１０の（ａ）は、タスクの実績としてタスクの進捗速度を取得する場合のフローチャートを示している。また、図１０の（ｂ）は、タスクの実績としてタスクのスコアを取得する場合のフローチャートを示している。
【０１０３】
本変形例においては、対象者１０１が実施するタスクを中断した場合に、当該対象者１０１が集中状態であるか否かの判定に基づき、対象位置関係を記憶部２１に格納する集中度計測装置１００の動作を説明する。したがって、上記実施の形態１において、図６を用いて説明した、記憶部２１への癖情報の格納に対応する集中度計測装置１００の処理について説明し、その他については省略または簡略化して説明する。
【０１０４】
まず、取得部１１は、対象者１０１がタスクの実施を中断したことをタスク実績取得部２３が検知した時に、タスクの実施を中断する対象者１０１を撮像した中断画像を取得する（Ｓ４０１）。その後、タスク実績取得部２３は、対象者１０１のタスクの実施の中断時間が第２時間以上であるか否かの判定を行う（Ｓ４０２）。
【０１０５】
ここで、タスクの実施を中断した対象者１０１は、タスクを実施するための思考状態であることが推定される。思考状態である対象者１０１は、集中状態である可能性が高いため、タスクの実施を中断した対象者１０１が集中状態であることが推定される。この際、体調不良等の他の原因により、対象者１０１がタスクの実施を中断している場合を区別するため、集中状態判定部２５は、さらに、タスクの再開後におけるタスクの実績を用いて、対象者１０１が集中状態であるか否かの判定を行う。
【０１０６】
タスクの実施の中断時にタスクを実施するための思考状態であった場合、タスクの再開後におけるタスクの実績は、所定速度または所定値等の閾値よりも大きくなることが予想される。したがって、タスクの実施を中断し、かつ、再開後のタスクの実績が所定速度または所定値等の閾値よりも大きい場合に、集中状態判定部２５は、タスクの実施の中断時における対象者１０１が集中状態であったと判定する。
【０１０７】
中断時間が第２時間より短いと判定された場合（Ｓ４０２でＮｏ）、タスクの中断と対象者１０１の集中状態との相関が不確かであるため、集中度計測装置１００は、処理を終了する。なお、第２時間とは、対象者１０１がタスクの実施に対する思考が可能とみなせる十分な時間である。第２時間は、対象者１０１ごとに個別に設定されてもよく、タスクの内容ごとに標準的な時間が設定されてもよい。
【０１０８】
一方で、中断時間が第２時間以上であると判定された場合（Ｓ４０２でＹｅｓ）、対象者１０１が集中状態であるか否かの判定を行う。つまり、集中状態判定部２５は、タスクの実施を第２時間以上中断している対象者１０１が撮像された中断画像を用いて集中状態であるか否かの判定を行う。
【０１０９】
まず、タスク実績取得部２３は、対象者１０１がタスクを再開した際に、タスクの実績を取得する。タスクの実績は、上記実施の形態１と同様に、タスクの進捗速度またはタスクのスコア等である。例えば、図１０の（ａ）では、タスク実績取得部２３は、タスクの実績としてタスクの進捗速度を取得する（Ｓ４０３）。また、例えば、図１０の（ｂ）では、タスク実績取得部２３は、タスクの実績としてタスクのスコアを取得する（Ｓ４０３ａ）。
【０１１０】
続いて、集中状態判定部２５は、取得したタスクの実績に基づいて、対象者１０１が集中状態であるか否かの判定を行う。例えば、図１０の（ａ）では、取得したタスクの進捗速度が所定速度よりも大きいか否かの判定を行う（Ｓ４０４）。所定速度は、上記実施の形態１と同様に設定されてもよく、タスクの実施が中断される前のタスクの実績をもとに設定されてもよい。また、所定速度は、対象者１０１によるタスクの進捗速度の平均速度であってもよい。
【０１１１】
また、例えば、図１０の（ｂ）では、取得したタスクのスコアが所定値よりも高いか否かの判定を行う（Ｓ４０４ａ）。所定値は、上記実施の形態１と同様に設定されてもよく、タスクの実施が中断される前のタスクの実績をもとに設定されてもよい。また、所定値は、対象者１０１によってあらかじめ実施された１以上のタスクのスコアの平均値であってもよい。
【０１１２】
例えば、集中状態判定部２５により、対象者１０１のタスクの進捗速度が所定速度よりも大きいと判定された場合（Ｓ４０４でＹｅｓ）、体パーツ認識部１３は、取得された中断画像において対象位置関係を算出する（Ｓ４０５）。さらに、算出された対象位置関係を示す情報が含まれた癖情報が、記憶部２１に格納される（Ｓ４０６）。
【０１１３】
一方で、集中状態判定部２５により、対象者１０１のタスクの進捗速度が所定速度以下と判定された場合（Ｓ４０４でＮｏ）、集中度計測装置１００は、処理を終了する。
【０１１４】
また、例えば、集中状態判定部２５により、対象者１０１のタスクのスコアが所定値よりも高いと判定された場合（Ｓ４０４ａでＹｅｓ）、体パーツ認識部１３は、取得された中断画像において対象位置関係を算出する（Ｓ４０５）。さらに、算出された対象位置関係を示す情報が含まれた癖情報が、記憶部２１に格納される（Ｓ４０６）。
【０１１５】
一方で、集中状態判定部２５により、対象者１０１のタスクのスコアが所定値以下と判定された場合（Ｓ４０４ａでＮｏ）、集中度計測装置１００は、処理を終了する。
【０１１６】
以上の処理により記憶部２１には、対象者１０１がタスクを実施するために、タスクを中断し、集中状態であったときに取得された中断画像において算出された対象位置関係を示す情報が含まれる癖情報が格納される。よって、本変形例における集中度計測装置１００は、対象者１０１の集中度の計測の際に、対象者１０１の癖を用いて、当該対象者１０１が集中状態であるか否かの判定に基づく集中度の計測を実施できるため、幅広い用途に適用できる。さらに、集中度計測装置１００は、集中時の動作における個人差を低減させ、対象者１０１の集中度を高精度で計測することができる。
【０１１７】
以上説明したように、例えば、集中度計測装置１００は、さらに、対象者が実施するタスクの実績を取得するタスク実績取得部と、タスクの実績に基づいて、対象者が集中状態であるか否かを判定する集中状態判定部と、を備え、取得部は、タスクの実施を第２時間以上中断している対象者を撮像した中断画像を取得し、記憶部に格納される癖情報には、タスクの実施を中断したあとにタスクを再開した対象者のタスクの実績に基づいて、タスクの中断中における対象者が集中状態であると判定された場合の中断画像において算出された対象位置関係を示す情報が含まれてもよい。
【０１１８】
これによれば、対象者１０１がタスクの実施を中断したあとにおけるタスクの実績に基づく判定により、タスクを中断し、思考のための集中状態であると判定された対象者１０１が撮像された中断画像が取得される。当該中断画像上の対象者１０１は、集中状態であるため集中状態にある場合にとり得る動作をとっていると推定される。したがって、当該中断画像上の対象者１０１の体の２以上の部分の位置関係は、対象者１０１の癖を規定していると考えられる。あらかじめ対象者１０１の癖による体の２以上の部分の位置関係を記憶部２１に格納しておくことができ、これを用いて対象者１０１の集中状態を判定できる。よって、集中度計測装置１００は、対象者１０１自身の癖をもとに対象者１０１の集中度をより高精度に計測することができる。
【０１１９】
また、例えば、タスク実績取得部は、タスクの実績として、対象者が実施したタスクの進捗速度を取得し、集中状態判定部は、タスクの進捗速度が所定速度よりも大きい場合に、タスクの中断中における対象者が集中状態であると判定してもよい。
【０１２０】
これによれば、対象者１０１がタスクを実施する際に、集中状態であるか否かを、タスクの実績として取得したタスクの進捗速度をもとに判定することができる。タスクの進捗速度が所定速度よりも大きい場合に、中断画像上の対象者１０１が集中状態であると判定し、対象者１０１の体の２以上の部分の位置関係を用いて対象者１０１の集中状態を判定できる。よって、集中度計測装置１００は、対象者１０１自身の癖をもとに対象者１０１の集中度をより高精度に計測することができる。
【０１２１】
また、例えば、所定速度は、対象者によるタスクの進捗速度の平均速度であってもよい。
【０１２２】
これによれば、対象者１０１がタスクを実施する際に、集中状態であるか否かを、タスクの実績として取得したタスクの進捗速度をもとに判定することができる。タスクの進捗速度が平均速度よりも大きい場合に、中断画像上の対象者１０１が集中状態であると判定し、対象者１０１の体の２以上の部分の位置関係を用いて対象者１０１の集中状態を判定できる。よって、集中度計測装置１００は、対象者１０１自身の癖をもとに対象者１０１の集中度をより高精度に計測することができる。
【０１２３】
また、例えば、タスク実績取得部は、タスクの実績として、対象者が実施したタスクの成績を取得し、集中状態判定部は、タスクの成績が所定値よりも高い場合に、タスクの中断中における対象者が集中状態であると判定してもよい。
【０１２４】
これによれば、対象者１０１がタスクを実施する際に、集中状態であるか否かを、タスクの実績として取得したタスクのスコアをもとに判定することができる。タスクのスコアが所定値よりも大きい場合に、中断画像上の対象者１０１が集中状態であると判定し、対象者１０１の体の２以上の部分の位置関係を用いて対象者１０１の集中状態を判定できる。よって、集中度計測装置１００は、対象者１０１自身の癖をもとに対象者１０１の集中度をより高精度に計測することができる。
【０１２５】
また、例えば、所定値は、対象者によって過去に実施された１以上のタスクにおける成績の平均値であってもよい。
【０１２６】
これによれば、対象者１０１がタスクを実施する際に、集中状態であるか否かを、タスクの実績として取得したタスクのスコアをもとに判定することができる。タスクのスコアが平均値よりも大きい場合に、中断画像上の対象者１０１が集中状態であると判定し、対象者１０１の体の２以上の部分の位置関係を用いて対象者１０１の集中状態を判定できる。よって、集中度計測装置１００は、対象者１０１自身の癖をもとに対象者１０１の集中度をより高精度に計測することができる。
【０１２７】
（実施の形態２）
次に、実施の形態２について、図１１および図１２を用いて説明する。図１１は、実施の形態２に係る集中度計測装置の構成を示すブロック図である。また図１２は、実施の形態２に係る記憶部への癖情報の格納を説明するフローチャートである。
【０１２８】
本実施の形態では、対象位置関係を事前に記憶部２１に格納するために、集中状態にある対象者１０１を撮像する際の、対象者１０１が集中し得る状況の別の例を説明する。したがって、本実施の形態における集中度計測装置１００ａは、対象者１０１が集中し得る別の状況の例に対応可能な構成要素を備える。以下、上記実施の形態１と比較して異なる箇所について説明し、実施の形態１と実質的に同一の箇所については、省略または簡略化して説明する。
【０１２９】
図１１に示すように、本実施の形態における集中度計測装置１００ａは、上記実施の形態１と比較して検知部２７と集中状態判定部２５ａとを備える点で異なる。また、本実施の形態における集中度計測装置１００ａは、上記実施の形態１と比較してタスク実績取得部２３と集中状態判定部２５とを備えない点で異なる。
【０１３０】
検知部２７は、対象者１０１の顔向きを検知する処理装置である。検知部２７は、例えば、プロセッサと記憶装置と、当該記憶装置に格納されたプログラムとによって実現される。検知部２７は、取得部１１に接続され、取得部１１において取得した、対象者１０１が撮像された画像を受信する。検知部２７は、受信した画像において対象者１０１の顔向きを検知する。
【０１３１】
集中状態判定部２５ａは、対象者１０１が集中状態であるか否かを判定する処理装置である。集中状態判定部２５ａは、例えば、プロセッサと記憶装置と、当該記憶装置に格納されたプログラムとによって実現される。集中状態判定部２５ａは、検知部２７により検知された対象者１０１の顔向きが第１時間だけ変化しない場合に、受信した画像において対象者１０１が集中状態であると判定する。
【０１３２】
本実施の形態における集中度計測装置１００ａは、記憶部２１への癖情報の格納において、タスク等の実施を必要とせず、対象者１０１が撮像された画像から、対象者１０１の姿勢を取得するのみでよい。
【０１３３】
具体的には、検知部２７は、図１２に示すように対象者１０１が撮像された画像を取得部１１から受信する。検知部２７は、取得した画像における対象者１０１の顔向きを検知する（Ｓ３０１）。ここで、検知部２７による画像の受信および対象者１０１の顔向きの検知は、時系列に沿って連続的に実施される。つまり、検知部２７では、対象者１０１の顔向きの経時変化を示すデータが生成される。
【０１３４】
集中状態判定部２５ａにおいて、生成された顔向きの経時変化を示すデータを用いて、対象者１０１の顔向きが第１時間以上変化していないか、すなわち、第１時間以上顔向きが一定であるか否かの判定が実施される（Ｓ３０２）。第１時間は、例えば、対象者１０１の集中状態の持続時間の平均時間である。また、第１時間は、例えば、対象者１０１の集中状態の持続時間の最短時間であってもよい。また、第１時間は、例えば、標準的な集中状態の持続時間の平均時間であってもよい。
【０１３５】
集中状態判定部２５ａにおいて、対象者１０１の顔向きが第１時間以上変化していない、すなわち、第１時間以上顔向きが一定であると判定された場合（Ｓ３０２でＹｅｓ）、体パーツ認識部１３は、取得された画像において対象位置関係を算出する（Ｓ３０３）。さらに、算出された対象位置関係を示す情報が含まれた癖情報が、記憶部２１に格納される（Ｓ３０４）。
【０１３６】
一方で、集中状態判定部２５ａにより、対象者１０１の顔向きが第１時間より短い時間で変化した、すなわち、第１時間経過するよりも前に顔向きが変化したと判定された場合
（Ｓ３０２でＮｏ）、集中度計測装置１００ａは、処理を終了する。
【０１３７】
以上の処理により記憶部２１には、対象者１０１の顔向きが第１時間以上一定であり、対象者１０１が集中状態であったときに取得された画像において算出された対象位置関係を示す情報が含まれる癖情報が格納される。
【０１３８】
よって、本変形例における集中度計測装置１００ａは、対象者１０１の集中度の計測の際に、対象者１０１の癖を用いて、当該対象者１０１が集中状態であるか否かの判定に基づく集中度の計測を実施できるため、幅広い用途に適用できる。さらに、集中度計測装置１００ａは、集中時の動作における個人差を低減させ、対象者１０１の集中度を高精度で計測することができる。
【０１３９】
以上説明したように、本実施の形態における集中度計測装置１００ａの一態様は、さらに、対象者の顔向きを検知する検知部と、対象者の顔向きが第１時間以上変化しない場合に、対象者が集中状態であると判定する集中状態判定部と、を備え、記憶部に格納される癖情報には、集中状態判定部によって対象者が集中状態であると判定されたときに取得部によって取得された画像において、体パーツ認識部により算出された対象位置関係を示す情報が含まれる。
【０１４０】
これによれば、対象者１０１の顔向きが変化するまでの時間に基づく判定により、第１時間以上顔向きが変化せずに、集中状態であると判定された対象者１０１が撮像された画像が取得される。当該画像上の対象者１０１は、集中状態であるため集中状態にある場合にとり得る動作をとっていると推定される。したがって、当該画像上の対象者１０１の体の２以上の部分の位置関係は、対象者１０１の癖を規定していると考えられる。あらかじめ対象者１０１の癖による体の２以上の部分の位置関係を記憶部２１に格納しておくことができ、これを用いて対象者１０１の集中状態を判定できる。よって、集中度計測装置１００ａは、対象者１０１自身の癖をもとに対象者１０１の集中度をより高精度に計測することができる。
【０１４１】
また、例えば、前記第１時間は、前記対象者における前記顔向きが変化しない時間の平均時間であってもよい。
【０１４２】
これによれば、対象者１０１が集中状態であるか否かを、対象者１０１の顔向きが変化するまでの時間をもとに判定することができる。対象者１０１の顔向きが変化するまでの時間が平均時間よりも長い場合に、画像上の対象者１０１が集中状態であると判定し、対象者１０１の体の２以上の部分の位置関係を用いて対象者１０１の集中状態を判定できる。よって、集中度計測装置１００ａは、対象者１０１自身の癖をもとに対象者１０１の集中度をより高精度に計測することができる。
【０１４３】
（その他の実施の形態）
以上、本開示に係る集中度計測装置、集中度計測方法、およびプログラムにについて、上記実施の形態等に基づいて説明したが、本開示は、上記の実施の形態に限定されるものではない。例えば、各実施の形態等に対して当業者が思いつく各種変形を施して得られる形態や、本開示の趣旨を逸脱しない範囲で各実施の形態における構成要素および機能を任意に組み合わせることで実現される形態も本開示に含まれる。
【０１４４】
上記実施の形態等において、対象者が実施するタスクの実績および対象者の顔向きにより対象者が集中状態にあるときの癖を対象位置関係として算出する例を説明したが、対象位置関係を算出できれば、対象者の行動に特に制限はない。例えば、対象者がスポーツ等の活動を行っていてもよい。
【０１４５】
また、上記実施の形態では、対象者が撮像された一時点の画像を用いて集中状態であるか否かの判定を行ったが、例えば、画像は、動画像であってもよい。集中度計測装置は、対象者の集中時の癖による、体の２以上の部分の位置変化を用い、動画像上の対象者における体の２以上の部分の位置変化と一致するか否かにより対象者が集中状態であるか否かの判定を行ってもよい。
【０１４６】
また、例えば、より複雑な判定基準により、対象者の集中時の癖を規定してもよい。例えば、対象者の「手と口とが特定の距離以内」かつ対象者の「頬の筋肉が動いている」かつ対象者の「手の指が伸びている」の３条件がすべて満たされたか否かにより、対象者の集中時の癖である「爪を噛む動作」が規定されてもよい。
【０１４７】
また、例えば、体の２以上の部分の位置関係は、距離によって規定されることを説明したが、距離のみから規定されなくてもよく、距離を用いずに規定されてもよい。例えば、対象者の「手と口とが特定の距離以内」かつ、「手よりも口の方が下側」の２条件により、対象者の集中時の癖である「上口唇を触る」が規定されてもよい。また、例えば、「額よりも手が上側」等の１条件により、対象者の集中時の癖である「頭部を触る」が規定されてもよい。
【０１４８】
また、例えば、本開示は、集中度計測装置として実現できるだけでなく、集中度計測装置の各構成要素が行う処理をステップとして含むプログラム、および、そのプログラムを記録したコンピュータ読み取り可能な記録媒体として実現することもできる。プログラムは、記録媒体に予め記録されていてもよく、あるいは、インターネットなどを含む広域通信網を介して記録媒体に供給されてもよい。
【０１４９】
つまり、上述した包括的または具体的な態様は、システム、装置、集積回路、コンピュータプログラムまたはコンピュータ読み取り可能な記録媒体で実現されてもよく、システム、装置、集積回路、コンピュータプログラムおよび記録媒体の任意な組み合わせで実現されてもよい。
【産業上の利用可能性】
【０１５０】
本開示の集中度計測装置等は、住宅、オフィス、学習塾等の建物内、自動車等の移動体内等に設置され、対象者の集中度を高精度に計測する目的等に利用される。
【符号の説明】
【０１５１】
１１  取得部
１３  体パーツ認識部
１５  集中癖判定部
１７  集中度算出部
２１  記憶部
２３  タスク実績取得部
２５、２５ａ  集中状態判定部
２７  検知部
１００、１００ａ  集中度計測装置
１０１  対象者
１０１ａ  顔の一部（顎）
１０１ｂ  手
２０１  入力部
２０２  出力部
【図１】
2020201755.tif 000003
【図２】
2020201755.tif 000004
【図３】
2020201755.tif 000005
【図４】
2020201755.tif 000006
【図５】
2020201755.tif 000007
【図６】
2020201755.tif 000008
【図７】
2020201755.tif 000009
【図８】
2020201755.tif 000010
【図９】
2020201755.tif 000011
【図１０】
2020201755.tif 000012
【図１１】
2020201755.tif 000013
【図１２】
2020201755.tif 000014